(57)【特許請求の範囲】
【請求項１】
表紙シート（１）と裏紙シート（２）との間に、網目状の補強網体（３）を設け、前記表紙シート（１）と前記裏紙シート（２）とを貼着させ、且つ、前記表紙シート（１），前記裏紙シート（２）及び前記補強網体（３）が水溶性紙材から成ることを特徴とする水溶性補強紙。
【請求項２】
前記表紙シート（１）と前記裏紙シート（２）が、それぞれ複数枚の水溶性紙シートを水溶性接着剤で接着し重層して成る請求項１記載の水溶性補強紙。
【請求項３】
前記補強網体（３）が、水溶性紙紐で網目状に形成した請求項１又は２記載の水溶性補強紙。
【発明の詳細な説明】
【技術分野】
【０００１】
本発明は水溶性補強紙に関し、特には破れ難く、また使用後に水洗トイレに流せる水溶性補強紙に関する。
【背景技術】
【０００２】
従来、排泄物等を処理し使用後に水洗トイレに流せる水溶性又は水解性の紙製品においては、トイレットペーパーや使い捨ておむつが一般に知られている。
【０００３】
このトイレに流して捨てることが可能な水溶性又は水解性シートとしては、例えば特許文献１（特開２００１−２８８６５７号公報）には表面層を構成する繊維中にフィブリル化レーヨンを含む多層構造の水解性繊維シートが提案されている。
【０００４】
更に、強化紙としては、特許文献２（特開２００１−２０５７７０号公報）に、包装紙における強構造を目的とする強化包装紙が開示され、これは第１紙製シートと第２紙製シートとを貼り合せ、その貼り合せ界面に紙製紐を間隔をおいて並列に介在して、第１、第２紙製シートと貼り合せた強化包装紙である。
【先行技術文献】
【特許文献】
【０００５】
【特許文献１】特開２００１−２８８６５７号公報
【特許文献１】特開２００１−２０５７７０号公報
【発明の概要】
【発明が解決しようとする課題】
【０００６】
しかしながら、従来のトイレットペーパーは、単にトイレで使用する分には使用後にトイレに流せて便利であるが、他の使用目的に使用する場合、例えば犬の散歩中に犬の排泄物を処理するのに、トイレットペーパーで包んで持ち帰るにしても、極めて破れ易く使用に耐え難い。
【０００７】
他方、使い捨ておむつにおいては、使用後に水解性の表面材を本体から外して、表面材上の排泄物と共にトイレに流して廃棄するため、本体は別に処理しなければならず、更に、使い捨ての目的でおむつ以外に使用するにしても、高価であり、使用がおむつに限定され、汎用性に欠けていた。
【０００８】
更に、特許文献１の水解性繊維シートは、トイレに流して捨てることができ、且つ汎用性があり便利であるが、フィブリル化レーヨン処理が高価であり、製造上も複雑でコスト的に高い問題点を有していた。
【０００９】
また、特許文献２の強化紙においては、使用目的が包装紙であり、リサイクル性や焼却処理性には効果を有するが、この包装紙自体、水解性がなくトイレに流して使い捨てに使用するのには全く使用できない問題点を有していた。つまり、この包装紙自体においては、耐水性を備えることはあっても、水溶性を備えるようなことは水にぬれた場合に破れ易くなるため殆んどなく、従って、トイレに流して使い捨てる使用ができない。
【００１０】
従って、本発明は、全体が水溶性であり、全体をそのままトイレに流しても水溶性が良好であり、しかも使用時に破れにくい強度を有する水溶性強化紙を提供することを目的とする。
【００１１】
本発明の他の目的は、水溶性及び強化を備えながら製造コストが極めて安価にできる水溶性強化紙を提供するにある。
【課題を解決するための手段】
【００１２】
本発明は、表紙シート（１）と裏紙シート（２）との間に、網目状の補強網体（３）を設け、前記表紙シート（１）と前記裏紙シート（２）とを貼着させ、且つ、前記表紙シート（１），前記裏紙シート（２）及び前記補強網体（３）が、それぞれ水溶性又は水解性のものから成る。
【００１３】
前記表紙シート（１）と前記裏紙シート（２）が、それぞれ複数枚の水溶性紙シートを水溶性接着剤で接着し重層するのが好ましい。
【００１４】
前記補強網体（３）が、水溶性紙紐で網目状に形成するのが好ましい。
【発明の効果】
【００１５】
本発明の水溶性補強紙は、表紙シート（１）及び裏紙シート（２）が水溶性で破れ易いが、補強網体（３）を間に入れたことにより、極めて破れ難く、柔軟性に富み、且つ、表紙シート（１），裏紙シート（２）及び補強網体（３）が水溶性であるため、使用後にそのまま全部がトイレに流して捨てることができる。
【００１６】
また、表紙シート（１）及び裏紙シート（２）が、複数枚の水溶性紙シートを水溶性接着剤で接着して重層にしたことにより、使用時に排泄物の処理等ですぐに破れるのを防止でき、且つ、各シート（１），（２）が厚くなっても、トイレに流すと直ちに重層構造がほどけて水に溶解され流し捨てることができ、トイレを詰まらせる心配もない。
【００１７】
更に、補強網体（３）が、水溶性の紙紐で網目状に形成したことにより、紙の強度が全方向にわたって均一に得られ、どの方向からも破れることがなく、使用時に方向性を考える必要がないので、本発明の強化紙を使用目的の物に加工するにも成形が容易となる。この成形においても、表紙シート（１）及び裏紙シート（２）が水溶性で薄いため、これらシート（１），（２）のみでは成形した形状を保持できずにくずれ易いが、補強網体により成形した形状が保て安定する。
【図面の簡単な説明】
【００１８】
【図１】本発明の水溶性強化紙を一部切欠いて示す斜視図である。
【図２】本発明の拡大側面図である。
【図３】本発明の補強網体を示す説明図である。
【発明を実施するための形態】
【００１９】
以下、本発明の実施形態につき、図を基に説明する。図１に示すように、（１)は水溶性又は水解性の紙を使用した表紙シートであり、（２）は表紙シート（１）と同様な紙質の裏紙シートであり、この表紙シート（１）及び裏紙シート（２）は、木材パルプ繊維，非木材系パルプ繊維，レーヨン繊維，ポリエステル繊維等を原料繊維として湿式法や乾式法等の常法により製造されるものであり、特にはトイレットペーパーと同様な材質のものが安価であり好ましい。
【００２０】
（３）は表紙シート（１）と裏紙シート（２）を重ねた中間に入れて補強するための補強網体であり、これは水溶性又は水解性の紙で紙紐を作り、この紙紐を使用して網目状に並べるか又は編んで成形したものである。更に、この紙紐を作るには、主としてセルロース系の水溶性又は水解性材料、例えばポリビニルアルコール，ポリアクリル酸塩共重合体，カルボキシル化セルロース等の水溶性材料等から成り、これらを使用して、複数本の繊維を撚り合せた糸状あるいはフィルムを切断したリボン状のものを撚って紐にして使用すればよく、特に好ましくはトイレットペーパーの紙リボンを撚った紙紐がよい。
【００２１】
また、補強網体（３）の網目形状にとしては、例えば図３（ａ）に示す格子状の他に図３（ｂ）の菱形でもよく、要するに網目状に並べるか又は編んで形成したものならばよい。
【００２２】
これら表紙シート（１）と裏紙シート（２）は、図２に示すように重ねて貼り合せるが、この際に両紙シート（１），（２）間に補強網体（３）を入れて貼り合される。この貼り合せる際に使用する接着剤は水溶性のものである。また、両紙シート（１），（２）は図２（ａ）の如く各１枚で貼り合せてもよいが、図２（ｂ）のように、両紙シート（１），（２）がそれぞれ複数枚に重ねたものを使用してもよく、この場合には、柔軟性を保ちつつ、１枚のものに比べより強度も高く使用中に水分の吸収性が向上し使用し易くなる。
【００２３】
このように、表紙シート（１）と裏紙シート（２）とを貼着するのに、補強網体（３）を中に挟んで貼着した水溶性強化紙においては、この強化紙を基に、種々の使用目的に応じた形状に成形できる。つまり、水溶性の表紙シート（１）及び裏紙シート（２）のみの場合には、素材に腰がなく、一定の形状を保持させることが難しいが、紙紐で編んだ補強網体（３）により、成形した形状を保持させることができるのである。従って、例えば犬の排泄物を収納用の皿状や箱状にも成形でき便利である。
【符号の説明】
【００２４】
１  表紙シート
２  裏紙シート
３  補強網体
【図３】
0005467078.tif 000002
【図１】
0005467078.tif 000003
【図２】
0005467078.tif 000004